(57)【要約】【目的】ロール状トイレットペーパの引き出し、折りたたみ、切断までを自動的に行い、トイレ内で片手で簡単に所定分量の紙を取り出せるようにする。【構成】トイレットペーパのロール紙を巻戻し回転させる駆動手段と、ロール紙を固定する固定手段と、ロール紙の下方に上下動及び横移動可能に配置され、かつロール紙からの巻戻し垂下紙を挟圧する一対の紙挟み部材と、紙挟み部材の下方位置で垂下紙を側方向に拘束して蛇腹状に重ねる紙堆積部と、紙挟み部材と係合して紙挟み部材を下降及び横移動させる筒体とを有し、紙挟み部材は外側面に上端側が細くなる傾斜面が形成されており、紙挟み部材を上下動及び横移動可能にガイドする紙挟み部材ガイドと、紙挟み部材を互いに離間方向及び上昇方向に付勢する第１，第２のばね手段とを備え、紙挟み部材の接近横移動及び降下で垂下紙を挟圧し、紙挟み部材の下面で紙堆積部を押し付けて折りたたみ状とする。【選択図】図５
2005081012.tif 000002
【特許請求の範囲】
【請求項１】
トイレットペーパのロール紙を巻戻し回転させる駆動手段と、前記ロール紙の巻戻し回転を固定する固定手段と、前記ロール紙の下方に上下動および横移動可能に配置され、かつ前記ロール紙からの巻戻し垂下紙を挟圧する紙挟圧手段と、前記紙挟圧手段の下方位置で前記垂下紙の降下に伴なって該垂下紙を側方向に拘束して蛇腹状に重ねる紙堆積部と、前記紙挟圧手段と係合して該紙挟圧手段を下降および横方向接近移動させる作動手段とを有し、前記紙挟圧手段は、外側面に上端側が細くなる傾斜面が形成され、かつ内側面に紙挟圧部が形成された一対の対向した紙挟み部材と、前記紙挟み部材を上下動および横移動可能にガイドする紙挟み部材ガイドと、前記紙挟み部材を互いに離間する方向および上昇方向に付勢する第１，第２のばね手段とを有しており、前記一対の紙挟み部材の接近移動および降下により、前記垂下紙を挟圧するとともに該紙挟み部材の下面で前記紙堆積部の蛇腹状堆積紙を押し付けて折りたたみ状とし、かつ前記固定手段による前記ロール紙の固定動作と協働して前記垂下紙を引張り切断することを特徴とするロール状トイレットペーパの紙引出し・切断装置。
【請求項２】
前記駆動手段および前記固定手段はブレーキ内臓型モータで構成されることを特徴とする請求項１に記載されたロール状トイレットペーパの紙引出し・切断装置。
【請求項３】
前記駆動手段は電動モータであり、前記固定手段は、前記ロール紙を軸支して該ロール紙と一体で回転する支持軸に固着されたウォーム歯車と、前記電動モータの出力軸に設けられ、かつ前記ウォーム歯車と噛み合うウォームとを有することを特徴とする請求項１に記載されたロール状トイレットペーパの紙引出し・切断装置。
【請求項４】
前記駆動手段は、前記ロール紙を軸支して該ロール紙と一体で回転する支持軸に歯車連結された手動操作ハンドルであり、前記固定手段は、前記支持軸に固着されたウォーム歯車と、前記手動操作ハンドルの軸に固着され、かつ前記ウォーム歯車と噛み合うウォームとを有することを特徴とする請求項１に記載されたロール状トイレットペーパの紙引出し・切断装置。
【請求項５】
回転可能なロール紙支持軸と、前記支持軸の先端外周に固着され、かつロール紙の芯管に嵌挿されるスリーブとを有し、前記スリーブの外周には軸方向にのび、かつ前記ロール紙の芯管に食い込む小突条が形成されており、前記ロール紙が前記スリーブの先端から挿抜されることを特徴とするロール状トイレットペーパの片持ち支持構造。
【請求項６】
前記ロール紙支持軸は前記ロール紙を巻戻し回転させるモータの出力軸に連結されることを特徴とする請求項５に記載されたロール状トイレットペーパの片持ち支持構造。
【請求項７】
前記ロール紙支持軸は機枠側部に回転可能に軸支され、該支持軸の片端に回転操作ハンドルが連結されることを特徴とする請求項５に記載されたロール状トイレットペーパの片持ち支持構造。
【請求項８】
前記ロール紙支持軸は先端が前記ロール紙の芯管の内径より小外径の先細テーパ状に形成されることを特徴とする請求項５または請求項６に記載されたロール状トイレットペーパの片持ち支持構造。
【発明の詳細な説明】
【技術分野】
【０００１】
本発明はロール状トイレットペーパの紙引出し・切断装置およびこの紙引出し・切断装置に使用するのに有用なロール状トイレットペーパの片持ち支持構造に関する。特に本発明は、ロール状のトイレットペーパからハンドルの手動操作あるいはモータで巻き戻された紙を使用に適した折りたたみ状態にし、かつ適切な分量で切断されるようにしたロール状トイレットペーパの紙引出し・切断装置に関する。
【背景技術】
【０００２】
ロール状に巻かれたトイレットペーパをトイレット内で使用する場合、壁面に回転可能に保持されたロール紙を手で引き出しつつ両手を使って適当な量に巻くようにして折りたたみ、手動で切断してから使用するのが普通である。引き出した紙の切断は、ロール紙の上周部を部分的に覆う湾曲カバー状の板の下縁にナイフエッヂのような切刃を形成したり、あるいはギザギザの縁部を形成し、一方の手でカバー板をロール紙に押し付けてロールの回転を止め、他方の手で折りたたみの紙を前記カバー板の下縁を利用して引きちぎるという操作で行っている。例えば特開２００３−１０６２４３号公報に記載の片手様ペーパ巻取り器ではロール紙の上半分を覆うカバーの一部に紙を通す取出口を形成し、この取出口から引き出した紙を巻取フォークの回転により該フォークに巻き付け、前記フォークの片端から巻回した紙を抜き取るようにしている。ロール紙に繋がる紙の切断は、この場合でもロール紙の巻戻し回転を手で止めておいて下側の紙を引っ張るという方法で行っている。トイレットペーパによっては、長さ方向の適当な間隔でミシン目状の切り目を付けたものがあり、必要な分量だけ紙を引き出した後、他方の手でロールを押さえて紙を引張ることにより、切り目の部分で紙が切れるようにしている。
【０００３】
ロール紙を回転自在に保持する機構としては、一般に、ロール紙の中心孔に心棒となる軸部材を遊挿し、この軸部材の両端をブラケット状の機枠側部に脱着可能に軸支している。機枠に対する軸部材の脱着は、該軸部材の端部に軸方向に弾性変位する短軸を設け、この短軸部分をブラケットの窪み孔に挿入することで対処している。
【特許文献１】特開２００２−３０６３６９号公報
【特許文献２】特開２００３−０１００６８号公報
【特許文献３】特開２００３−１０２６４３号公報
【発明の開示】
【発明が解決しようとする課題】
【０００４】
上述のように従来のロール状トイレットペーパの使用は、紙の引き出しから折りたたみ、切断まですべて手動で行っており、必然的に両手を使わなければならず、例えば手の部分に障害のある者、あるいは神経系統の欠陥で手の動きがスムーズに出来ない人にとっては困難な行為となっている。特に紙の切断の場合は、ロール紙が回転しないように手などで固定しておいて下側の紙を引きちぎる必要があり、片手の操作だけで切断することは不可能であった。
【０００５】
また例えば、トイレの中で雑誌などを拡げて読んでいる場合、両手を使うトイレットペーパの引き出し、切断は煩雑な動作であり、さらに手動で紙を引き出すため、どうしても余分な量を引き出してしまったりして、省資源化の上でも問題があった。
【０００６】
このような日常的な問題があるにもかかわらず、自動的に、あるいは片手による簡単なハンドル操作で紙を引き出したり、切断を自動化したりする工夫は講じられていない。またトイレットペーパは軟質の紙であり、手で引きちぎることは出来てもカッタなどで簡易に切るには困難な問題があった。
【０００７】
前述した軸部材の両端を機枠側部に軸支し、この軸部材をロール紙に挿通してロール紙を支持する構造においても、ロール紙の装填には前記軸部材を機枠から外す必要があり、必然的に両手を使う操作が不可欠である。
【０００８】
本発明はこのような事情に鑑みてなされたものであって、ロール状のトイレットペーパの引き出し、折りたたみ、切断までを一連の動作で行い得、また蛇腹状に折り重ねた状態で簡単に取り出すことができ、したがって身体的な障害のある者にとっても極めて有利なロール状トイレットペーパの紙引出し・切断装置を提供するものである。
【課題を解決するための手段】
【０００９】
本発明によれば、トイレットペーパのロール紙を巻戻し回転させる駆動手段と、前記ロール紙の巻戻し回転を固定する固定手段と、前記ロール紙の下方に上下動および横移動可能に配置され、かつ前記ロール紙からの巻戻し垂下紙を挟圧する紙挟圧手段と、前記紙挟圧手段の下方位置で前記垂下紙の降下に伴なって該垂下紙を側方向に拘束して蛇腹状に重ねる紙堆積部と、前記紙挟圧手段と係合して該紙挟圧手段を下降および横方向接近移動させる作動手段とを有し、前記紙挟圧手段は、外側面に上端側が細くなる傾斜面が形成され、かつ内側面に紙挟圧部が形成された一対の対向した紙挟み部材と、前記紙挟み部材を上下動および横移動可能にガイドする紙挟み部材ガイドと、前記紙挟み部材を互いに離間する方向および上昇方向に付勢する第１，第２のばね手段とを有しており、前記一対の紙挟み部材の接近移動および降下により、前記垂下紙を挟圧するとともに該紙挟み部材の下面で前記紙堆積部の蛇腹状堆積紙を押し付けて折りたたみ状とし、かつ前記固定手段による前記ロール紙の固定動作と協働して前記垂下紙を引張り切断するようにしたロール状トイレットペーパの紙引出し・切断装置が提供される。
【００１０】
また本発明によるロール状トイレットペーパの片持ち支持構造は、回転可能なロール紙支持軸と、前記支持軸の先端外周に固着され、かつロール紙の芯管に嵌挿されるスリーブとを有し、前記スリーブの外周には軸方向にのび、かつ前記ロール紙の芯管に食い込む小突条が形成されており、前記ロール紙が前記スリーブの先端から挿抜されるようにしたものである。
【発明の効果】
【００１１】
本発明によれば、ロール紙をモータの駆動力で巻き戻す形態のものにあっては、トイレット用のロール紙を軸支するモータの電源を、例えば押しボタン操作等でＯＮにするだけで、ロール紙から巻き戻された紙が折りたたみ状態に重ねられてケース底部に落ち、また適切な分量で自動的に切断されるので、使用者は片手で簡単に使用可能状態の紙を取り出すことができる。
【００１２】
また従来のように使用者の両手を使った折りたたみ動作が不要となり、取り出したそのままの状態で直ちに使用でき、更に折りたたみの分量が一定となり、無駄な紙の引き出しが避けられるため、省資源化に寄与できる。ケース内に配置された筒体の押し下げも前記モータの駆動力とラック・ピニオン等の機構を利用して自動的に行うことも可能であり、またこの筒体の押し下げを手動で行う場合であっても、その操作は極めて単純、簡単であって、過大な力を要しない。特に本発明は、例えば片側の手のみしか使えない身体的な障害のあるハンディキャップユーザにとって大きな効果が発揮される。紙の引張り切断の場合に必要なロール紙の固定は、ロール紙を駆動するモータのブレーキ機構、あるいはウォームとウォーム歯車の機構によって有効に実現できる。
【００１３】
ロール紙の装填も、ロール紙支持軸の先端に片側からロール紙を押し込むだけで簡単確実に、かつ該支持軸と一体回転するように装着することができ、ロール紙を使用しきった時は、該ロール紙の芯管を前記支持軸から軸方向に抜き取るだけでよい。また、ロール紙の装着も使用者の片手で容易に行うことができる。ロール紙支持軸の外周に形成した小突条がロール紙の芯管に食い込むため、ロール紙と支持軸が一体で回転し、したがって前記支持軸の後端にモータを連結してロール紙の巻き戻しを自動で行うことが可能となる。使用中にロール紙が前記支持軸から外れて落下するようなこともなく、前述した本発明に係るロール状トイレットペーパの紙引出し・切断装置に組み込んで使用する場合にきわめて有用なロール紙の片持ち支持構造が提供できる。
【発明を実施するための最良の形態】
【００１４】
本発明の１つの形態にによるロール状トイレットペーパの紙引出し・切断装置は、トイレットペーパのロール紙を巻戻し回転させるブレーキ内蔵型モータと、前記ロール紙の下方に上下動および横移動可能に配置され、かつ前記ロール紙からの巻戻し垂下紙を挟圧する紙押圧部材を備えた紙挟み部材と、前記紙挟み部材の下方位置で前記垂下紙を側方向に拘束して蛇腹状に重ねる紙堆積部と、前記紙挟み部材と係合して該紙挟み部材を上下動および横移動させる筒部とを有し、前記紙挟み部材は、外側面に上端側が細くなる傾斜面が形成されており、さらに前記紙挟み部材を上下動および横移動可能にガイドする紙挟み部材ガイドと、前記紙挟み部材を互いに離間する方向および上昇方向に付勢する第１，第２のばね手段とを有しており、前記筒部の降下に伴なう前記紙挟み部材の横移動および降下により、前記垂下紙を挟圧するとともに該紙挟み部材の下面で前記紙堆積部の蛇腹状堆積紙を押し付けて折りたたみ状とし、かつ、前記ブレーキ内蔵型モータのブレーキ動作による前記ロール紙の固定動作と協働して前記垂下紙を引張り切断する。
【００１５】
また本発明の１つの形態に係るロール紙の片持ち支持構造によれば、回転可能なロール紙支持軸と、前記支持軸の先端外周に固着され、かつロール紙の芯管に嵌挿されるスリーブとを有し、前記スリーブの外周には軸方向にのび、かつ前記ロール紙の芯管に食い込む小突条が形成されており、前記ロール紙支持軸は先端が前記ロール紙の芯管の内径より小外径の先細テーパ状に形成され、かつ半径方向に若干弾性変形するように複数個のスリットが形成されている。
【実施例１】
【００１６】
次に、本発明を、実施形態につき添付の図面にしたがって説明する。図１は本発明の実施例１による紙引出し・切断装置を、後述する紙挟み部材の位置で裁断して示した概略的な全体平面断面図である。なお、この図１は後述する図６のＡ−Ａ線に沿った平面断面図を示したものである。この実施例で、矩形状の外ケース１１内には可動部材として一対の紙挟み部材２６および矩形の筒部３２を有するが、これら可動部材の外ケース１１に対する支持機構、ガイド部材あるいは圧縮ばね手段は外ケース１１の内壁近傍に配置されており、したがって該ケースの略中心に垂下する紙２０の降下にとって干渉しないようになっている。なお、一対の紙挟み部材２６は対向配置されるが、その対峙する面をここでは該部材２６の正面とし、その反対側即ち外側部を背面と称することとする。
【００１７】
筒部３２の下方に配置された一対の紙挟み部材２６は各々その背面に上端側が先細となるような傾斜面２６ａが形成されており、また、図２にも示すように各々の紙挟み部材２６の背面両側部近くの下側部分にそれぞれ一対の、上下に貫通するガイド溝２７が形成されている。図４に明示されるように、紙挟み部材２６の背面に連接する下面には第１の圧縮ばね２３を受ける段差部２８が形成されている。さらに各紙挟み部材２６の正面（対向した紙挟み部材の各対峙面）には、例えば硬質ゴム等の紙押圧部材２９およびその下方かつ両側に第２の圧縮ばね２２を収容する有底のばね保持穴３０が設けられており、このばね保持穴３０に収容された第２の圧縮ばね２２により、一対の紙挟み部材２６は互いに離間する方向に付勢されている。
【００１８】
各紙挟み部材２６のガイド溝２７に対応して、外ケース１１の内壁には上下方向に延びる鍔板状の紙挟み部材ガイド３１が形成されている。また、外ケース１１の底板１１ｂと各紙挟み部材２６の下面段差部２８との間に第１の圧縮ばね２３が配置されている。紙挟み部材２６はそのガイド溝２７に外ケース１１の紙挟み部材ガイド３１が挿入されることによって上下方向および左右方向（対峙面に垂直な方向）に移動可能にガイドされるが、この場合、ばね保持穴３０に収容された第２の圧縮ばね２２により一対の紙挟み部材２６は互いに離間する方向に付勢されるとともに、底部の第１の圧縮ばね２３により常に上方へ向って付勢されている。なお、前記第２の圧縮ばね２２は前記第１の圧縮ばね２３より弱いばね力のものが選定される。
【００１９】
図３は本発明の実施例１に係る筒部３２の側面図である。筒部３２は全体として矩形状の或る肉厚をもった中空箱形部材であり、その一方の対向両側部の下端は前記紙挟み部材２６の背部の傾斜面１６ａ，２６ａと係合する傾斜端面３２ａとなっている。また、筒部３２の両側部と外ケース１１の内壁１１ａとの間に、該筒部３２を常に上方へ向けて付勢している引上げばね６８が装着されている。筒部３２の側部には前記引上げばね６８と干渉しない適当な位置に該筒部３２を外ケース１１に対して支持し、かつ該筒部３２の上下移動を案内する筒部ガイド（図１符号５３））が形成されている。筒部３２の下端傾斜端面３２ａに対応する側の側部には、図３に明示されるように、筒部３２の下降時に紙挟み部材ガイド３１が挿入される縦長の溝部３３が形成されている。
【００２０】
図４〜図７図を参照して本実施例の動作を説明すれば、図４は使用前つまりトイレットぺーパの紙引出し・切断装置の紙引出し開始前の状態であり、この上部にブレーキ内蔵型モータで巻き戻し回転されるロール紙が保持されている（これらの図には図示省略）。外ケース１１の底部には、適当な高さをもつ一対の対向した紙拘束壁板６５が設けられている。この壁板６５は、ロール紙の巻き戻しで上方から連続的に降下してくる垂下紙２０の先端がケース底部に当ってその紙面が横方向に偏倚するときに、該紙面を拘束してわん曲状に、つまり蛇腹状に折り返えす作用をする。なお、前記モータには適当な減速機構が設けられる。
【００２１】
使用開始前には筒部３２は引上げばね６８によって紙挟み部材２６から上方へ離れており、また紙挟み部材２６は第２のばね手段２２によって左右に大きく開離するとともに、第１のばね手段２３によって筒部３２に近接する位置まで上昇している。この状態からモータの電源ＯＮによって前記ロール紙からの紙２０は筒部３２内を通り、一対の紙挟み部材２６の間を通って図５の如く外ケース１１の底板１１ｂ上に蛇腹状に堆積する。ここで前記モータの回転が停止し、前記モータの電源断で該モータのブレーキ機構が働き、前記ロール紙の回転が拘束される。
【００２２】
続いて図６の如く前記筒部３２が引上げばね手段６８に抗して降下され、一対の紙挟み部材２６は筒部３２の下端傾斜端面３２ａと該紙挟み部材背部の傾斜面２６ａとのくさび作用で内側へ押し込まれて紙２０を紙押圧部材２９の間で挟圧するとともに、外ケース１１の底部へ向けて押し下げられ、図７に示すように底板１１ｂ上に堆積した蛇腹状の紙は紙挟み部材２６の下面２６ｂで外ケース底板１１ｂに押し付けられて折りたたみ状態となる。なお、第１のばね２３と第２のばね２２のばね力の関係から、紙挟み部材２６の降下よりもやや優先して該紙挟み部材２６おどしの接近、つまり紙の挟圧が開始される。このときに、紙２０を挟圧した紙挟み部材２６の降下で紙２０が引き下げられるが、前述の如くブレーキ付モータによってロール紙の巻戻し回転が阻止されているので、前記ロール紙と前記紙２０の挟圧部分と間の箇所で引張り切断される。
【００２３】
この後、前記筒部３２の押下げ力を解除すると、筒部３２は引上げばね６８の作用で上昇し、第１の圧縮ばね２３および第２の圧縮ばね２２によって紙挟み部材２６が上昇、左右に開離し、外ケース底部の折りたたみ紙３５はケース側部の開口から取り出し可能となる。このときの装置状態は当初の図４の状態となっている。
【実施例２】
【００２４】
図８は本発明の実施例２の部分的な縦断面図である。この実施例では一方の紙挟み部材２６の上端正面に先端が鋭利なナイフ状突起７０が設けられ、このナイフ状突起７０に対応する位置で他方の紙挟み部材２６の上部が切除されている。ミシン目状の切り目のあるトイレットペーパでは紙挟み部材の降下、紙の引張りにより、通常そのミシン目の部分で切れるが、切り目のない紙の場合は後述の如くナイフ状突起７０の部分で切れるようにし、これによって紙の引張り切断を容易、確実にしたものである。両紙挟み部材２６，２６が左右に大きく開離した状態では紙の降下には支障がなく、また、両紙挟み部材２６，２６が接近して紙挟圧状態となったときには、紙２０はナイフ状突起７０によって側方へ偏倚され、この状態で前記紙挟み部材が降下し、かつ前記ロール紙の回転が阻止されたとき、緊張した紙２０は前記ナイフ状突起７０の箇所Ｃで引張り切断される。なお、ロール紙の巻き戻しで垂下する紙を案内するために、筒部３２の両側部３２ｃ（図１）に、該筒部の降下に支障のない範囲で、紙の両側縁の紙面部分をガイドする部分的な紙ガイド７１を形成することも可能である。
【００２５】
次に、本発明に用いられるロール紙の片持ち支持構造、即ちトイレットペーパ用ロール紙をモータの出力軸に装着する構造について図９および図１０（Ａ），（Ｂ）を参照して説明する。この実施例でモータ５５はブレーキ内蔵型でかつ減速機構をもつ小形モータであり、モータ５５の電源がＯＦＦとなったとき、モータ５５の回転が停止、固定されてロール紙６０の自由な回転が阻止されるようになっている。モータ５５は外ケース１１の上部付近に固定配置され、その出力軸５５ａには先端が先細テーパ状となったスリーブ５７が嵌合される。図１０（Ａ）はこのスリーブの先端側からみた拡大端面図、同図（Ｂ）はスリーブの拡大側面図である。スリーブ５７の先端は径方向に若干弾性変形するように複数本の軸方向にのびるスリット５７ａが形成されている。またスリーブ内面にはモータ出力軸５５ａの外周のキー状の突起５５ｂと係合するキー溝５７ｂが形成され、この突起５５ｂとキー溝５７ｂを合せてスリーブ５７をモータ出力軸５５ａに装着したとき、モータ出力軸５５ａに対してスリーブ５７は相対回転不能となって該出力軸５５ａと一体で回転する。５８はスリーブ５７をモータ出力軸５５ａに固定するための止めねじである。なお、減速機構内蔵型のモータでない場合には、モータ出力軸が適当な減速歯車機構を介して前記スリーブ５７に連結される。
【００２６】
この実施例でスリーブ５７の外周には軸方向にのびる極細の、かつ高さの小さい鋭利な突条５９が形成されている。この突条５９はスリーブ５７の外周に１本あるいは高々２〜３本形成され、スリーブ５７をロール紙６０の中心孔に押し込むように挿入したとき、突条５９がロール紙６０の紙製の芯管６１の内周に食い込み、これによってロール紙６０はスリーブ５７と一体で回転するようになり、ロール紙６０がスリーブ５７上をすべり回転するのが防止される。
【００２７】
モータ出力軸５５ａへのスリーブ５７の装着に先立ち、スリーブ５７の外径よりも大径の間座５６がモータ本体部の前端に接当するようにモータ出力軸５５ａに挿入され、この後でスリーブ５７が間座５６の端面に接触する位置まで挿入される。つまり間座５６はモータ本体部の前端とスリーブ端面との間に挟まれる形態となる。ロール紙６０をスリーブ５７の先端から押し込むようにして該スリーブ５７に装着し、かつ該ロール紙６０の奥端面６０ａを間座５６の端面に接当させることで、ロール紙６０のモータ５５に対する位置決めがなされる。なおスリーブ５７の突条５９はロール紙６０とスリーブ５７との間の回転方向のすべりを防止するためのものであり、ロール紙６０の挿入の容易さを損なわないように極く小さな形状のものが選定される。ロール紙６０の紙を使い切ったときは、ロール中心の芯管６１をスリーブ５７から抜き取って新しいロール紙を装着する。
【００２８】
モータとロール紙との上述の係合形態は一例であって、この他にもロール紙がモータ出力軸に対して空回りせずに一体回転するような構造であれば、任意の構造が採用可能である。また、モータの停止時にロール紙の回転を阻止する構造としては、いわゆる自動締まりとなるウォームとウォーム歯車の噛合い構造も採用され得る。軸付きウォーム歯車の軸をロール紙の中心孔に相対回転不能に嵌合し、モータ出力軸にウォームを一体に連結し、このウォームとウォーム歯車の伝動機構でモータの回転をロール紙に伝えるようにしてもよい。この構造によってロール紙側からモータ出力軸への回転伝達は不可となり、モータが停止したときロール紙のみの回転は不能となる。したがってこの場合はブレーキ付きのモータでなくてもよい。
【実施例３】
【００２９】
図１２は本発明に係るロール紙固定手段としてウォームとウォーム歯車（ウォームホイール）の機構を用いた実施例３を示す縦断面図である。ロール紙支持軸７２の中途部が外ケース１１に一対の軸受７３，７４を介して回転可能に軸支されている。ロール紙支持軸７２の一端部は図９で説明したスリーブ５７に挿入されてキー連結され、該支持軸７２の他端部にはウォーム歯車７５が固着されている。７６は一方の軸受７３とウォーム歯車７５との間に介在された筒状スペーサであり、ウォーム歯車７５は支持軸７２の軸端にねじ締めされる締めナット７７によってスペーサ７６に押し付けられて該支持軸７２に固着される。
【００３０】
７８はスリーブ５７と他方の軸受７４との間に介在されるスペーサである。ロール紙６０はスリーブ５７の先端から押し込むようにして該スリーブ５７に装着され、図９でも説明したように、ロール紙６０の奥端面６０ａがスペーサ７８に接当されることでロール紙６０の位置決めがなされる。なお、スリーブ５７は先端が先細のテーパ状となっており、また径方向に若干弾性変形するように複数小のスリット５７ａが形成されている。５８はスリーブ５７をロール紙支持軸７２に固定する止めねじ、５７ｂはスリーブ内周に形成されたキー溝である。スリーブ５７の外周にはロール紙６０の芯管６１に食い込む突条５９が形成されている。
【００３１】
外ケース１１にはロール紙回転モータ５５が取り付けられており、その出力軸にはウォーム歯車７５と噛み合うウォーム７９が固着されている。この場合のウォームギア機構は原動車であるウォーム７９から従動車のウォーム歯車７５へ回転動力を伝達するが、その逆つまりウォーム歯車７５からウォーム７９を回転させることができない、いわゆる自動締まりの構成となっている。したがってモータ５５の回転が停止したときには、ロール紙６０から引き出された紙の引張りによってロール紙６０は回転せず、前記紙はロール紙６０と紙押圧部材２９（図７）との間で引張り切断される。モータ５５は減速機構内蔵型のものが用いられるが、減速機構を内蔵しない場合にはモータ出力軸が適当な歯車減速機構を介してウォーム７９に連結される。
【実施例４】
【００３２】
以上の実施例はいずれもロール紙をモータの動力で巻き戻し回転させる例であるが、モータを用いずに手動でロール紙を回転させるようにしてもよい。図１３は実施例例４としてハンドルの手動操作でウォームとウォーム歯車の伝動機構を介してロール紙を回転させる例を示した断面図である。なお、この図で図１２と同様の部分には同じ符号を付し、かつそれらの部分の重複した説明は可能なかぎり省略する。ロール紙６０を回転可能に支持する機構として図９および図１２で説明したのと同様な片持ち支持構造が用いられる。外ケース１１に軸支されたロール紙支持軸７２の外端部にウォーム歯車７５が固着され、このウォーム歯車７５に噛み合うウォーム７９が外ケース１１から側方へ延在した一対のブラケット８０に回転可能に軸支されている。一方のブラケット８０の位置でウォーム７９の軸端７９ａがハンドル８１に固着され、またハンドル８１の先端に該ハンドル８１に対して回転自在な操作つまみ８２が軸支されている。
【００３３】
操作つまみ８２を片手で掴んでハンドル８１をロール紙巻戻し方向に回転させることにより、ウォーム７９が回転し、ウォーム歯車７５および支持軸７２を介してロール紙６０が巻き戻され、その垂下紙が一対の紙挟み部材２６（図４）の間へ降下する。この実施例４においても、ロール紙６０側からハンドル８１側へは回転動作は伝達されず、ハンドル８１を離すだけでロール紙６０の巻き戻し回転は固定される。なお、蛇腹状の紙の折りたたみ量、つまりハンドル８１の回転数は使用者によって任意としてもよいが、１回の紙の使用量の目安としてロール紙６０の回転数を検出する機構を付加し、所定の回転数になったときに、例えばランプの点灯などによってハンドル８１の回転操作を止めるように指示することも可能である。
【００３４】
筒部を上下動させる機構としては、手動および自動手段のいずれも採用可能である。手動操作で筒部を降下させる機構を採用する場合は、外ケースの側面に上下方向にのびる溝を貫通して設け、筒部の側部にはこの溝を通して外ケースの外部へ突出するノブを取り付け、モータの回転が停止した後、このノブを手で押し下げることで筒体を降下させ、ノブの押し下げを解除すると、筒部と外ケース間に装着された引上げばねのばね力で筒部が上昇するように構成する。外ケースの内側面には筒部を上下方向に案内する適当なガイドが設けられることは勿論である。
【００３５】
折りたたまれる紙の分量はロール紙巻戻し用のモータの回転量に依存する。したがって適切な折りたたみ量となるように予め前記モータの回転数を設定しておき、この回転数になったときに自動的にモータの電源がＯＦＦとなるような電気的回路を付加する。紙の折りたたみ量を例えば押しボタン等の操作で使用者が大，小２段階の選択をするようにすることも可能である。
【００３６】
筒部の自動押下げ機構を付加する場合は、図１に例示するようにロール紙の巻戻し用モータとは別の小形モータ５０を外ケース１１に装着し、一方筒部３２の外側部に外ケース１１の外部に露出する上下に伸長したラック５１を固着する。この筒部上下動用モータ５０の出力軸には前記ラック５１と噛合するピニオン歯車５２を連結し、前記モータ５０の電源ＯＮによって前記ラック５１とピニオン歯車５２との係合を介して筒部３２が降下するように構成される。なお、この場合、筒部上下動用モータ５０の電源はロール紙巻戻し用モータの電源と共通にし、前記ロール紙巻戻し用モータの電源をＯＮにするだけで、所定時間の遅れをもって自動的に筒部上下動用モータ５０の電源がＯＮとなるように電気的回路を付加するのがよい。使用者としては１つの電源スイッチの操作のみで済み、その後は、外ケースの下部に形成した取出口から折りたたまれた紙を取り出すだけでよい。
【００３７】
図１で符号５３は筒部３２を外ケース１１に対して支持し、かつその上下動を案内するガイドである。筒部を降下させるときの動力が不足する場合は、外ケース１１の両側に２個の同種のモータを設けて動力アップを計ってもよい。
【００３８】
図１１（Ａ）は図７のＢ−Ｂ線に沿った部分的な拡大平面断面図、図１１（Ｂ）は図７のＢ−Ｂ線部分における拡大側面図である。紙拘束壁板６５の内面には、間隔の広い複数の上下にのびる凹凸部が形成されている。また、前記壁板６５に対峙する紙挟み部材２６の側面にも同様に複数の凹凸部が形成され、図示のように該部材２６の凸部６６が前記壁板６５の凹部６７内に入り込んでいる。なお、紙挟み部材２６の各凸部６６は該部材の各凹部よりも広い巾を有している。前記壁板６５の凸部６８によって横方向に拘束されつつ底部に堆積した蛇腹状の紙２０（図１１に仮想線で示す）は紙挟み部材２６の前記凸部６６の下面によってケース底板に押し付けられ、これによって紙２０が有効に折りたたまれる。この構成により、紙挟み部材の側部と壁板６５との間に若干の隙間があっても、紙の折りたたみは有効になされる。
【図面の簡単な説明】
【００３９】
【図１】本発明の実施例１による紙引出し・切断装置を、紙挟み部材の位置で裁断して示した概略的な全体平面断面図である。
【図２】本発明の実施例１に係る紙挟み部材の上面図である。
【図３】本発明の実施例１に係る筒部の側面図である。
【図４】本発明の実施例１に係るロール状トイレットペーパの紙引出し・切断装置の作動開始前の状態における概略的な側面断面図である。
【図５】本発明の実施例１に係るロール状トイレットペーパの紙引出し・切断装置の作動開始直後の状態における概略的な側面断面図である。
【図６】本発明の実施例１に係るロール状トイレットペーパの紙引出し・切断装置の作動途中の紙挟み部材が閉じた状態における概略的な側面断面図である。
【図７】本発明の実施例１に係るロール状トイレットペーパの紙引出し・切断装置の紙挟み部材が降下して紙を折りたたみ状態にした時の概略的な側面断面図である。
【図８】本発明の実施例２に係るロール状トイレットペーパの紙引出し・切断装置の要部を示す概略的な側面断面図である。
【図９】トイレットペーパ用ロール紙とモータ出力軸との係合形態を示す縦断面図である。
【図１０】図９に示すスリーブの拡大端面図および拡大側面図である。
【図１１】図７のほぼＢ−Ｂ線に沿った部分的な拡大断面図およびその部分の拡大側面図である。
【図１２】本発明の実施例３に係るロール紙固定手段としてウォームとウォーム歯車（ウォームホイール）の機構を用いた実施例を示す縦断面図である。
【図１３】本発明の実施例４に係るハンドルの手動操作でウォームとウォーム歯車の伝動機構を介してロール紙を回転させる例を示した断面図である。
【符号の説明】
【００４０】
１１  外ケース
２０  紙
２２  第２の圧縮ばね
２３  第１の圧縮ばね
２６  紙挟み部材
２７  ガイド溝
３１  紙挟み部材ガイド
３２  筒部
３５  折りたたみ紙
３６  紙挟圧部材
５０  筒体上下動用モータ
５５  ブレーキ内蔵型小形モータ
６０  ロール紙
６５  紙拘束壁板
５７  スリーブ
６８  引上げばね
７０  ナイフ状突起
７２  ロール紙支持軸
７５  ウォーム歯車
７９  ウォーム
８１  ハンドル
【図１】
2005081012.tif 000003
【図２】
2005081012.tif 000004
【図３】
2005081012.tif 000005
【図４】
2005081012.tif 000006
【図５】
2005081012.tif 000007
【図６】
2005081012.tif 000008
【図７】
2005081012.tif 000009
【図８】
2005081012.tif 000010
【図９】
2005081012.tif 000011
【図１０】
2005081012.tif 000012
【図１１】
2005081012.tif 000013
【図１２】
2005081012.tif 000014
【図１３】
2005081012.tif 000015